(57)【要約】【課題】  電子機器の前面外観の簡素化を図り、操作体の挿脱時の操作性を向上する。【解決手段】  キーボード３が収納される収納トレイ１６と、この収納トレイ１６を回動可能に支持する回動軸部１７とを備える。そして、収納トレイ１６は、表示部５の下方に配置され、回動軸部１７によって、収納トレイの一端と表示部５の下端との間にキーボード３が挿脱される挿脱口２１を開放する開放位置と、挿脱口２１を閉じる閉塞位置とに回動される。【選択図】  図２
2006285485.tif 000002
【特許請求の範囲】
【請求項１】
表示部を有する電子機器を操作するための操作体が収納される収納トレイと、
前記収納トレイを移動可能に支持する支持手段とを備え、
前記収納トレイは、前記表示部の下方に配置され、前記支持手段によって、前記収納トレイと前記表示部の下端との間に前記操作体が挿脱される挿脱口を開放する開放位置と、前記挿脱口を閉塞する閉塞位置とに移動される操作体用の収納構造体。
【請求項２】
前記支持手段は、前記収納トレイの一端を前記表示部の下端に対して近接離間させる方向に回動可能に支持する請求項１に記載の操作体用の収納構造体。
【請求項３】
前記支持手段には、前記表示部が回動可能に支持されている請求項２に記載の操作体用の収納構造体。
【請求項４】
前記表示部を回動可能に支持する他の支持手段を備える請求項２に記載の操作体用の収納構造体。
【請求項５】
前記支持手段は、前記収納トレイと前記表示部とを連動させて互いに逆方向に回動させる請求項３に記載の操作体用の収納構造体。
【請求項６】
前記表示部を支持する支持脚を備え、
前記支持脚には、前記開放位置に回動された前記収納トレイの前記挿脱口に連続する傾斜面が形成されている請求項２ないし５のいずれか１項に記載の操作体用の収納構造体。
【請求項７】
前記支持脚には、前記収納トレイを前記開放位置にロックするロック手段が設けられている請求項６に記載の操作体用の収納構造体。
【請求項８】
前記開放位置に回動された前記収納トレイから前記操作体を排出させるための排出手段を備える請求項２ないし７のいずれか１項に記載の操作体用の収納構造体。
【請求項９】
前記操作体は二次電池を有し、
前記収納トレイには、前記操作体の前記二次電池に電力を供給する電力供給手段が設けられている請求項１ないし８のいずれか１項に記載の操作体用の収納構造体。
【請求項１０】
前記操作体は、キーボードである請求項１ないし９のいずれか１項に記載の操作体用の収納構造体。
【請求項１１】
請求項１ないし１０のいずれか１項に記載の操作体用の収納構造体と、前記表示部とを備える電子機器。
【発明の詳細な説明】
【技術分野】
【０００１】
本発明は、例えばパーソナルコンピュータ用のキーボード、マウスやリモートコントローラ等の操作体を収納するための、操作体用の収納構造体、およびこの収納構造体を備える電子機器に関する。
【背景技術】
【０００２】
従来、いわゆるデスクトップ型パーソナルコンピュータ（ＰＣ）では、キーボードを使用しないときに、机上の作業スペースを確保し、キーボード上に塵埃が付くのを防ぐ等のために、キーボードをＰＣ本体や表示装置に設けられた収納部内に収納するキーボード収納構造体を備えるものがある。
【０００３】
表示装置に適用された従来のキーボード収納構造体としては、表示部を支持する支持ベースに、キーボードが収納される収納部が形成された構成が開示されている（例えば、特許文献１参照。）。
【０００４】
また、表示装置とＰＣ本体とが一体に構成されたデスクトップ型ＰＣに適用された他のキーボード収納構造体としては、ＰＣ本体の前面に、キーボードを収納する収納部が設けられ、キーボードがＰＣ本体の前面に重ねるように収納される構成が開示されている（例えば、特許文献２参照。）。
【特許文献１】特開２０００−３１５１２３号公報（図１）
【特許文献２】特開２００１−１２５６７１号公報（図１）
【発明の開示】
【発明が解決しようとする課題】
【０００５】
近年、デスクトップ型ＰＣでは、例えばＰＣとしてキーボードによる入力操作を行う場合と、テレビやビデオとして映像を視聴する場合とで使用形態が明らかに異なっている。したがって、デスクトップ型ＰＣでは、キーボードを使用しない場合に、映像を視聴する視界の妨げにならないようにキーボードを収納し、外観上、あたかも表示装置のみのような比較的簡素な外観を実現することに加え、収納部に対してキーボードを収納する際の操作性を良好に確保することも求められている。
【０００６】
しかしながら、特許文献１に開示されている構成では、表示装置の前面に対して収納部の前面が占める面積が比較的大きく、特にフルサイズ・キーボードを採用した場合、支持ベースが大型化してしまう不都合がある。また、この構成では、収納部に対してキーボードを挿脱するための挿脱口が、表示装置の前面に開放されており、収納部内に収納されたキーボードが外方に露出されているため、キーボードの収納状態であっても表示装置の外観を損なってしまう。
【０００７】
また、表示装置の前面外観の簡素化を図るために、キーボードに対する収納部の大きさを比較的小さく構成した場合には、収納部に対してキーボードを挿脱する際の操作性が低下してしまう。一方、比較的小型、薄型のキーボードを採用した場合には、キーボードによる入力操作性の低下を招くという不都合がある。
【０００８】
さらに、特許文献１は、収納部内にキーボードを収納する際、机上に沿ってキーボードをほぼ水平方向に滑らせて移動させる構成であるため、収納部の挿脱口にキーボードを挿入する動作、および収納部からキーボードを引き出す動作の操作性が非常に乏しい。
【０００９】
特許文献１の構成で、キーボードの挿脱時の操作性を向上させる対策としては、例えば、キーボードの底面を支持する支持部や、挿脱口に対してキーボードを位置決めするガイド部や、収納部に対してキーボードを円滑に滑らせて移動させるためのガイドローラ等が、収納部に設けられる構成が考えられる。しかし、これらを追加することによって、収納部の複雑化、大型化を招き、外観を損なってしまう問題がある。すなわち、装置の前面外観の簡素化を図ることと、キーボードの挿脱時の操作性を向上することが互いに相反して不都合を招いてしまう。
【００１０】
また、特許文献２に開示されている構成も同様に、収納部の前面の面積がキーボードの操作面の面積とほぼ等しいので、コンピュータの前面外観に対して収納部の前面が占める面積が大きいという不都合がある。また、特許文献２の構成では、キーボードを収納部に収納する際に、キーボードを持ち上げて保持した状態で回転させる必要があり、収納時の操作性が乏しい。
【００１１】
そこで、本発明は、電子機器の前面外観の簡素化を図ると共に、操作体の挿脱時の操作性を向上することができる操作体用の収納構造体および電子機器を提供することを目的とする。
【課題を解決するための手段】
【００１２】
上述した目的を達成するため、本発明に係る操作体用の収納構造体は、表示部を有する電子機器を操作するための操作体が収納される収納トレイと、この収納トレイを移動可能に支持する支持手段とを備える。そして、収納トレイは、表示部の下方に配置され、支持手段によって、この収納トレイと表示部の下端との間に操作体が挿脱される挿脱口を開放する開放位置と、挿脱口を閉じる閉塞位置とに移動される。
【００１３】
以上のように構成した本発明に係る操作体用の収納構造体によれば、支持手段によって収納トレイが開放位置と閉塞位置とに移動されることで、収納トレイと表示部の下端との間で挿脱口が開閉される。そして、この操作体用の収納構造体によれば、収納トレイが、表示部の下方に移動可能に設けられることで、表示部の下端近傍の空間が有効利用される。また、表示部の下方に配置された収納トレイが閉塞位置に移動されて挿脱口が閉じられることで、電子機器の前面に対して収納トレイの前面が占める面積が比較的小さくなると共に、収納トレイに操作体が収納された状態で、電子機器の前面に操作体が露出されず、電子機器の前面外観が良好に簡素化される。また、この操作体用の収納構造体によれば、開放位置に移動された収納トレイに対して操作体が挿脱操作されることで、操作体の挿脱時の操作性が良好に確保される。
【００１４】
また、本発明に係る操作体用の収納構造体が備える支持手段は、収納トレイの一端を表示部の下端に対して近接離間させる方向に回動可能に支持してもよい。  また、本発明に係る操作体用の収納構造体は、支持手段に表示部が回動可能に支持されてもよい。
【００１５】
また、本発明に係る操作体用の収納構造体は、表示部を回動可能に支持する他の支持手段を備えてもよい。
【００１６】
また、本発明に係る操作体用の収納構造体は、支持手段が、収納トレイと表示部とを連動させて互いに逆方向に回動させてもよい。これによって、例えば、表示部の下端と電子機器が設置される床面との距離が比較的小さい場合であっても、収納トレイと表示部とが逆方向に回動されることで、表示部の下端と収納トレイの一端との間に開放される挿脱口の開口寸法を大きく確保することが可能になる。また、収納トレイと表示部とが連動することによって、表示部および収納トレイのいずれか一方を、支持手段を介して回動させることで、挿脱口を開閉させることが可能になるので、操作体の挿脱時の操作性が更に向上される。
【００１７】
また、本発明に係る操作体用の収納構造体は、表示部を支持する支持脚を備え、この支持脚に、開放位置に回動された収納トレイの挿脱口に連続する傾斜面が形成されてもよい。これによって、傾斜面に沿って操作体を滑らせて、収納トレイに容易に収納することが可能になり、操作体の挿脱時の操作性が更に向上される。
【００１８】
また、本発明に係る操作体用の収納構造体は、支持脚に、収納トレイを開放位置にロックするロック手段が設けられてもよい。
【００１９】
また、本発明に係る操作体用の収納構造体は、開放位置に回動された収納トレイから操作体を排出させるための排出手段を備えてもよい。排出手段を備えることで、収納トレイから操作体を容易かつ円滑に取り出すことが可能になり、収納トレイから操作体を取り出す際の操作性が更に向上される。
【００２０】
また、本発明に係る操作体用の収納構造体は、操作体が二次電池を有し、収納トレイに、操作体の二次電池に電力を供給する電力供給手段が設けられてもよい。
【００２１】
また、本発明に係る操作体用の収納構造体は、操作体がキーボードであってもよい。
【００２２】
また、本発明に係る電子機器は、上述した本発明の操作体用の収納構造体と、表示部とを備える電子機器。
【発明の効果】
【００２３】
上述したように本発明によれば、電子機器の前面外観の簡素化を図ると共に、操作体の挿脱時の操作性を向上することができる。
【発明を実施するための最良の形態】
【００２４】
以下、本発明の具体的な実施形態について、図面を参照して説明する。
【００２５】
本発明に係る電子機器の一例として、パーソナルコンピュータ（ＰＣ）のＰＣ本体に電気的に接続されて用いられるＰＣ用の表示装置に適用される構成について説明する。なお、本発明に係る操作体用の収納構造体は、例えば、ＰＣ用の表示装置とＰＣ本体が一体に構成されたデスクトップ型ＰＣ等に適用されて好適であることは勿論である。
【００２６】
（第１の実施形態）
図１および図２（ａ），（ｂ）に示すように、表示装置１は、図示しないＰＣ本体に電気的に接続されており、映像を表示する表示部５と、この表示部５を支持する支持脚６とを備えている。また、この表示装置１は、ＰＣ本体を操作するためのキーボード３を収納するためのキーボード収納構造体７を備えている。
【００２７】
表示部５は、例えば２１インチ程度以上の表示面５ａを有する液晶ディスプレイが採用され、支持脚６に回動可能に支持されている。
【００２８】
支持脚６は、表示部５の表示面５ａの幅方向の両側を支持する一組の脚部１１と、これら各脚部１１を連結するように表示部５の表示面５ａの底辺と平行に延ばされた連結部１２とを有している。各脚部１１には、図３に示すように、一組の回動軸部１３が設けられており、これら回動軸部１３を介して表示部５が回動自在に支持されている。この回動軸部１３としては、表示部５に固定された回転軸回りに回転抵抗を付与するいわゆるトルクヒンジが採用されており、表示部５を任意の回動位置に保持させることが可能にされている。
【００２９】
キーボード収納構造体７は、キーボード３が収納される収納トレイ１６と、この収納トレイ１６の一端を表示部５の下端に対して近接離間させる方向に回動自在に支持する支持手段である一組の回動軸部１７とを有している。このキーボード収納構造体７によって収納されるキーボード３は、ＯＡＤＧ(Open Architecture Development Group)準拠のいわゆるフルサイズ・キーボードであって、図示しないが、ＰＣ本体に入力信号を無線送信する送信回路部と、この送信回路部等に電力を供給する二次電池が装着されたバッテリ部とを有している。
【００３０】
収納トレイ１６は、図２（ａ），（ｂ）に示すように、支持脚６の各脚部１１の間に位置されており、表示部５の底面に隣接して配置されている。収納トレイ１６は、図３に示すように、キーボード３が載置される載置部１９と、各回動軸部１７に支持される支持アーム２０とを有している。この収納トレイ１６は、載置部１９の一端と表示部５の下端との間に、載置部１９に対してキーボード３が挿脱される挿脱口２１を開放する開放位置と、表示部５の下端に載置部１９の一端が当接されて挿脱口２１を閉じる閉塞位置とに、各回動軸部１７を介して回動可能に支持されている。
【００３１】
載置部１９には、キーボード３の底面側に折り畳み可能に設けられた一組の折り畳み脚（不図示）の間に対応する位置に、キーボード３の底面を支持する直線状の一組の支持突部２２がそれぞれ設けられている。これら支持突部２２の挿脱口２１側の一端部には、キーボード３の底面を案内する傾斜面２２ａが形成されている。
【００３２】
また、載置部１９には、図３に示すように、渦巻き状のコイルが埋め込まれた非接触送電部２４が設けられており、この非接触送電部２４によって、支持突部２２に支持されたキーボード３の二次電池に電力を非接触で充電を行うことが可能にされている。なお、収納トレイの載置部１９には、非接触送電部２４の代わりに、キーボード３の二次電池の接続端子に電気的に接続されるコネクタが設けられ、このコネクタを介して充電が行われる構成にされてもよい。
【００３３】
支持アーム２０の一端には、各回動軸部１７にそれぞれ支持されるヒンジ軸２５が固定されて設けられている。各回動軸部１７は、図３に示すように、互いに噛み合わされた一対のカム軸２６ａ，２６ｂと、収納トレイ１６のヒンジ軸２５に回転抵抗を付与するダンパー２７と、一方のカム軸２６ｂを他方のカム軸２６ａに押圧する圧縮コイルバネ２８とを有しており、これら各部材が互いに軸線を一致させて配置されている。
【００３４】
ダンパー２７は、回動軸部１７の軸線と平行に設けられた支軸（不図示）に回転自在に支持されている。ダンパー２７は、外周部に設けられたギア部２７ａが、ヒンジ軸２５の外周部に形成されたギア部２５ａに噛み合わされている。
【００３５】
一対のカム軸２６ａ，２６ｂは、一方のカム軸２６ａが、収納トレイ１６のヒンジ軸２５に連結されており、圧縮コイルバネ２８による弾性力によって他方のカム軸２６ｂが軸方向に付勢されることで、各カム面が噛み合わされている。
【００３６】
なお、回動軸部１７には、表示部５を支持する回動軸部１３とが軸線を一致させて配置されているが、回動軸部１３と回動軸部１７とが独立して動作するので、必要に応じて回動軸部１３が他の位置に配置されてもよい。
【００３７】
以上のように構成された回動軸部１７によれば、一対のカム軸２２ａ，２２ｂおよび圧縮コイルバネ２８によっていわゆるラッチレスヒンジが構成されており、ダンパー２７による回転抵抗で緩やかに開閉動作が行われ、ラッチレスヒンジによって任意の開閉状態で停止させることが可能にされている。
【００３８】
また、支持脚６の連結部１２の前面には、机上でキーボード３を滑らせて収納トレイ１６の挿脱口２１に円滑に案内するための傾斜面３０が形成されている。この傾斜面３０は、開放位置に回動された収納トレイ１６の一端と机上とに連続するように形成されている。このため、机上のキーボード３を収納トレイ１６上に収納する際に、キーボード３を傾斜面３０に沿って滑らせて、収納トレイ１６の載置部１９に容易に挿入させることが可能にされ、また収納トレイ１６からキーボード３を机上に容易に引き出すことが可能にされている。
【００３９】
また、支持脚６の連結部１２には、図４に示すように、開放位置に回動された収納トレイ１６をロックするロック機構３１が設けられている。このロック機構３１は、収納トレイ１６の一端に係合するロック部材３２と、このロック部材３２を収納トレイ１６に係合させる方向に付勢するコイルバネ（不図示）とを有している。また、収納トレイ１６の一端には、ロック部材３２に係合される係合片３４が設けられている。ロック部材３２は、支持脚６の連結部１２にスライド移動自在に支持されており、収納トレイ１６が開放位置に回動されたときに、コイルバネの付勢力で収納トレイ１６の係合片３４に係合される。また、このロック部材３２は、コイルバネの付勢力に抗してスライド操作されることで、収納トレイ１６の係合片３４との係合状態が解除され、収納トレイ１６が閉塞位置に回動可能になる。
【００４０】
以上のように構成された表示装置１について、キーボード３を収納トレイ１６から取り出す動作およびキーボード３を収納トレイ１６に収納する動作を、図面を参照して説明する。
【００４１】
まず、キーボード３を収納トレイ１６から取り出す場合には、収納トレイ１６を回転軸部１７回りに回動させることで、図５および図６（ａ），（ｂ）に示すように、収納トレイ１６が回動操作されて開放位置に移動されることで、表示部５の下端と収納トレイ１６の一端との間に挿脱口２１が開放される。続いて、収納トレイ１６の載置部１９上からキーボード３を引き出し、キーボード３を支持脚６の傾斜面３０に沿って滑らせることで、図７に示すように、机上にキーボード３が容易に取り出される。収納トレイ１６は、キーボード３が取り出された後、閉塞位置に回動され、収納トレイ１６の一端が表示部５の下端に当接されて挿脱口２１が閉じられる。
【００４２】
また同様に、収納トレイ１６にキーボード３を収納する場合には、収納トレイ１６を回動操作されて、表示部５の下端と収納トレイ１６の一端との間に挿脱口２１が開放される。続いて、机上からキーボード３を支持脚６の傾斜面３０に沿って滑らせることで、収納トレイ１６の載置部１９に円滑に収納される。
【００４３】
上述したように、表示装置１によれば、表示部５の下方に配置された収納トレイ１６と、この収納トレイ１６を回動自在に支持する回動軸部１７とを有するキーボード収納構造体７を備えることによって、表示部５の下端近傍の空間を有効利用することができる。また、この表示装置１は、収納トレイ１６が閉塞位置に移動されて挿脱口２１が閉じられることで、表示装置１の前面に対して収納トレイ１６の前面が占める面積が比較的小さくなると共に、収納トレイ１６にキーボード３が収納された状態で、表示装置１の前面にキーボード３が露出されず、表示装置１の前面外観を良好に簡素化することができる。また、この表示装置１によれば、開放位置に移動された収納トレイ１６に対してキーボード３が挿脱操作されることで、収納トレイ１６にキーボード３を円滑に収納し、また収納トレイ１６からキーボード３を容易に取り出すことが可能になり、キーボード３の挿脱時の操作性を向上することができる。
【００４４】
さらに、表示装置１が備えるキーボード収納構造体７は、収納トレイ１６が回動軸部１７を介して回動自在に支持される構成を採ることで、比較的簡素な構成で収納トレイ１６を開放位置と閉塞位置とに移動させることが可能になるため、製造コストの低減が図られる。
【００４５】
（第２の実施形態）
上述した第１の実施形態の表示装置では、表示部５を回動自在に支持する回動軸部１３と、収納トレイ１６を回動自在に支持する回動軸部１７とを備え、収納トレイ１６を開閉操作する際に、表示部５に対して収納トレイ１６のみが回動されて挿脱口２１が開閉される構成が採られたが、収納トレイ１６の開閉動作に連動して表示部５が回動されるように構成されてもよい。このように構成された第２の実施形態の表示装置について、図面を参照して説明する。なお、第２の実施形態は、第１の実施形態と回動軸部を除いて基本構成が同様であるので、同一部材については同一符号を付して説明を省略する。
【００４６】
図９に示すように、第２の実施形態の表示装置２は、収納トレイ１６と表示部５とを連動させて互いに逆方向に回動させる一組の回動軸部４０を備えている。各回動軸部４０は、図９に示すように、上述の回動軸部１７と同様に、一対のカム軸２６ａ，２６ｂ、ダンパー２７、圧縮コイルバネ２８を有し、更に、表示部５を支持する一対のカム軸４１ａ，４１ｂと、一方のカム軸４１ｂを他方のカム軸４１ａに押圧する圧縮コイルバネ４２と、表示部５の表示面５ａを鉛直にさせる方向に付勢するねじりコイルバネ４３とを有している。
【００４７】
この回動軸部４０によれば、一対のカム軸４１ａ，４１ｂおよび圧縮コイルバネ４２によっていわゆるラッチレスヒンジが構成されており、ダンパー２７による回転抵抗で緩やかに開閉動作が行われ、ラッチレスヒンジによって任意の開閉状態で停止させることが可能にされている。また、ねじりコイルバネ４３の付勢力によって、表示部５を回動操作する際に表示部５を手で支える保持力が補助されるので、比較的大型の表示部５であっても容易に回動させることが可能にされている。そして、この回動軸部４０によれば、収納トレイ１６の回動動作と、表示部５の回動動作とが連動可能にされている。
【００４８】
以上のように構成された表示装置２では、収納トレイ１６からキーボード３を取り出す場合、図９および図１０（ａ），（ｂ）に示すように、挿脱口２１を開放させる方向に収納トレイ１６を回動させるのに伴って、回動軸部４０を介して、表示部５が挿脱口２１を開放させる方向に回動され、挿脱口２１が開放される。続いて、収納トレイ１６の載置部１９上からキーボード３を引き出し、キーボード３を支持脚６の傾斜面３０に沿って滑らせることで、図１１に示すように、机上にキーボード３が容易に取り出される。また、この表示装置２では、収納トレイ１６を回動操作せずに、表示部５のみを回動操作することで、収納トレイ１６を開放位置に回動されるので、キーボード３の挿脱時の操作性が向上されている。
【００４９】
また同様に、収納トレイ１６にキーボード３を収納する場合には、挿脱口２１を閉塞させる方向に収納トレイ１６を回動させるのに伴って、回動軸部４０を介して、表示部５が挿脱口２１を閉塞させる方向に回動され、挿脱口２１が閉塞される。
【００５０】
上述したように、本実施形態の表示装置２によれば、収納トレイ１６と表示部５とを連動させて挿脱口２１を開閉する方向に回動させる回動軸部４０を備えることによって、特に、表示部５の下端と、表示装置２が設置される床面との間の距離が比較的小さい、つまり支持脚６の長さが比較的小さい場合であっても、収納トレイ１６と表示部５とが逆方向に回動されることで、表示部５の下端と収納トレイ１６の一端との間に開放される挿脱口２１の開口寸法を大きく確保することが可能になり、挿脱時の操作性が良好に確保することができる。
【００５１】
また、この表示装置２によれば、収納トレイ１６と表示部５とが連動することによって、表示部５および収納トレイ１６のいずれか一方を回動させることで、挿脱口２１を開閉させることが可能になるので、キーボード３の挿脱時の操作性が更に向上される。
【００５２】
なお、上述した実施形態の表示装置１，２では、収納トレイ１６や表示部５を手動で回動操作するように構成されたが、例えば、操作釦を操作することで、ステッピングモータ等の駆動力で収納トレイ１６や表示部５が自動的に開閉動作される構成が採られてもよい。
【００５３】
また、上述の表示装置１，２では、操作体の一例として、標準寸法であるいわゆるフルサイズ・キーボードが適用されたが、例えばマウス、リモートコントローラ等の他の操作体が適用されてもよいことは勿論である。
【００５４】
また、上述の表示装置１，２では、収納トレイ１６に対してキーボード３が挿脱される構成にされたが、キーボードが収納トレイの載置部に一体に設けられて、収納トレイが開放位置に移動された状態で、収納トレイ上のキーボードが直接操作されるように構成されてもよい。
【００５５】
また、図示しないが、収納トレイ１６の一端には、挿脱口２１から挿入されるキーボード３の各折り畳み脚に対応する位置に、折り畳み脚に当接して折り畳むための当接片が設けられてもよい。この構成によれば、収納トレイ１６にキーボード３が収納される際に、折り畳み脚を自動的に畳むことが可能になり、載置部の空間を小さくし、収納トレイの薄型化を図ることができる。
【００５６】
最後に、上述した実施形態では、収納トレイ１６が開放位置に回動されたときに、収納トレイ１６を開放位置にロックする共に、収納トレイ１６上に載置されたキーボード３を収納トレイ１６上から容易に取り出すための排出手段であるキーボード排出機構が設けられてもよい。このようなキーボード排出機構の具体的な構成の一例について図面を参照して説明する。
【００５７】
図１２に示すように、キーボード排出機構５０は、収納トレイ１６から滑り出るキーボード３の移動を妨げないように、収納トレイ１６上に載置されているキーボード３の幅方向の両側に位置して、支持脚６に一組配置されている。
【００５８】
キーボード排出機構５０は、キーボード３を取り出す際に押し込み操作される操作釦５１と、この操作釦５１によって回動される作動アーム５２と、この作動アーム５２によって作動されて収納トレイ１６からキーボード３を排出させるイジェクタ５３とを有している。
【００５９】
操作ボタン５１は、支持脚６に設けられた回動支軸５５に回動可能に支持されており、収納トレイ１６側に設けられた係合片３４に係合されるロック爪５１ａが設けられている。操作ボタン５１は、収納トレイ１６が開放位置に回動されたときに、収納トレイ１６の係合片３４にロック爪５１ａが係合することで、収納トレイ１６が開放位置にロックされる。また、操作ボタン５１には、作動アーム５２に係合するカムピン５１ｂが設けられている。また、操作ボタン５１は、コイルバネ（不図示）の弾性力が付勢されており、押し込まれた後に弾性力によって初期位置に復帰される。
【００６０】
作動アーム５２は、支持脚６に設けられた回動支軸５６に回動可能に支持されており、操作ボタン５１のカムピン５１ｂが係合されるカム溝５２ａが形成されている。そして、作動アーム５２は、カムピン５１ｂがカム溝５２ａに沿って移動することで、操作ボタン５１の動作に連動して回動される。
【００６１】
また、作動アーム５２の一端側には、イジェクタ５３を押し上げるための押し上げ片５２ｂが設けられている。また、収納トレイ１６の底面には、イジェクタ５３に対応する位置に、作動アーム５２の押し上げ片５２ｂが進入するスリットが形成されている。さらに、この作動アーム５２の他端側には、ユーザーが指先等でこの作動アーム５２を回動操作するための操作レバー５２ｃが形成されている。
【００６２】
イジェクタ５３は、収納トレイ１６の挿脱口２１側に配置されており、収納トレイ１６に設けられた回動支軸５７に回動可能に支持されている。また、キーボード３の前面の底面側には、各キーボード排出機構５０のイジェクタ５３に対応する位置に、複数の車輪５８が回転自在に設けられている。キーボード３は、収納トレイ１６に収納された状態で、車輪５８がイジェクタ５３に支持されており、イジェクタ５３の一端側が押し上げられることで、車輪５８がイジェクタ５３上を転がり、キーボード３が収納トレイ１６から円滑に滑り出される。
【００６３】
以上のように構成されたキーボード排出機構５０では、ユーザーが手動で収納トレイ１６を開放位置に回動させたときに、収納トレイ１６の係合片３４が操作ボタン５１のロック爪５１ａを押し下げると共にロック爪５１ａに乗り上げてロック爪５１ａに係合され、収納トレイ１６が開放位置にロックされる。このとき、収納トレイ１６の係合片３４がロック爪５１ａに係合される際に、操作ボタン５１が回動されるので、操作ボタン５１に連動して作動アーム５２が回動され、押し上げ片５２ｂがイジェクタ５３から確実に退避される。
【００６４】
続いて、図１３に示すように、ユーザーが指先で作動アーム５２の操作レバー５２ｃを手前に引くことで、作動アーム５２が回動され、作動アーム５２は、押し上げ片５２ｂがイジェクタ５３に当接して、イジェクタ５３の一端側を押し上げる。イジェクタ５３は、一端側が押し上げられることで、収納トレイ１６の載置部１９内に突出され、収納トレイ１６からキーボード３を押し出す。そして、キーボード３は、車輪５８がイジェクタ５３上に沿って転がり、傾斜面３０上を滑ることで、図１４に示すように、収納トレイ１６から机上に容易かつ円滑に取り出される。
【００６５】
なお、作動アーム５２を回動操作することでイジェクタ５３が作動されるが、この作動時も係合片３４とロック爪５１ａとが良好に係合されており、収納トレイ１６が開放位置にロックされた状態に保たれている。
【００６６】
上述したように、キーボード収納構造体は、キーボード排出機構を備えることで、収納トレイ１６からキーボード３を容易かつ円滑に取り出すことが可能になり、収納トレイ１６からキーボード３を取り出す際の操作性を更に向上することができる。
【図面の簡単な説明】
【００６７】
【図１】第１の実施形態の表示装置を示す斜視図である。
【図２】キーボード収納構造体の収納トレイが閉塞位置に回動された状態を示す図である。
【図３】収納トレイおよび回動軸部を模式的に示す斜視図である。
【図４】ロック機構を示す断面図である。
【図５】キーボード収納構造体の収納トレイが開放位置に回動された状態を示す斜視図である。
【図６】収納トレイが開放位置に回動された状態を示す図である。
【図７】収納トレイからキーボードが取り出された状態を示す斜視図である。
【図８】第２の実施形態の表示装置が備える回動軸部を模式的に示す斜視図である。
【図９】収納トレイと表示部とが連動して回動される状態を示す図である。
【図１０】収納トレイおよび表示部が回動された状態を示す図である。
【図１１】収納トレイからキーボードが取り出された状態を示す斜視図である。
【図１２】キーボード排出機構を説明するための透視側面図である。
【図１３】キーボード排出機構が作動された状態を示す透視側面図である。
【図１４】収納トレイからキーボードが排出される状態を示す透視側面図である。
【符号の説明】
【００６８】
１  表示装置
３  キーボード
５  表示部
６  支持脚
７  キーボード収納構造体
１３  回動軸部
１６  収納トレイ
１７  回動軸部
２１  挿脱口
【図１】
2006285485.tif 000003
【図２】
2006285485.tif 000004
【図３】
2006285485.tif 000005
【図４】
2006285485.tif 000006
【図５】
2006285485.tif 000007
【図６】
2006285485.tif 000008
【図７】
2006285485.tif 000009
【図８】
2006285485.tif 000010
【図９】
2006285485.tif 000011
【図１０】
2006285485.tif 000012
【図１１】
2006285485.tif 000013
【図１２】
2006285485.tif 000014
【図１３】
2006285485.tif 000015
【図１４】
2006285485.tif 000016